(57)【要約】【課題】制御ボックスに各種の表示を行う表示器を取り付けた重量選別機において、安価な構成で、外部からの電磁ノイズの影響を受けること少なく、精度の高い重量計測を行うことができるようにする。【解決手段】金属材からなる制御ボックス４の壁面に、設定表示器６の外形に比較して開口面積の小さい透孔９を形成し、制御ボックス４の壁面に取付けられる設定表示器６から導出された電線８を、透孔９を通して制御ボックス４内に挿入して制御部に接続する。【選択図】図３
2014085201.tif 000002
【特許請求の範囲】
【請求項１】
被計量物を搬送する計量コンベヤと、該計量コンベヤ上の被計量物の重量を検出するための荷重センサと、表示器が取付けられる制御ボックスとを備え、前記制御ボックス内に、前記表示器の表示を制御する制御部が内蔵された重量選別機であって、
金属材からなる前記制御ボックスの壁面に、前記表示器の外形に比較して開口面積の小さい透孔が形成され、前記制御ボックスの壁面に取付けられる前記表示器が、前記透孔を用いて前記制御ボックス内の前記制御部に接続される、
ことを特徴とする重量選別機。
【請求項２】
前記表示器は、当該重量選別機に対する設定を行うために操作される設定部を有する、
請求項１に記載の重量選別機。
【請求項３】
前記透孔を覆うように前記表示器を制御ボックスの壁面に取り付けると共に、表示器と制御ボックスの壁面との間に、前記透孔を囲む環状のシール部材を介在させる、
請求項１または２に記載の重量選別機。
【請求項４】
前記表示器に、記憶媒体が接続される接続ポートを備えた開口を設けると共に、この接続ポートを開閉自在な蓋体で水密状に閉止する、
請求項１ないし３のいずれかに記載の重量選別機。
【請求項５】
閉止状態の前記蓋体に係合して、蓋体を閉止状態に維持するロック部材を備える、
請求項４に記載の重量選別機。
【請求項６】
制御ボックスの壁面に装着金具を設け、この装着金具に前記表示器を係合支持する、
請求項１に記載の重量選別機。
【発明の詳細な説明】
【技術分野】
【０００１】
本発明は、被計量物を計量コンベヤに載置して搬送しながらその重量を計測して、重量に基づく選別を行うための重量選別機に関する。
【背景技術】
【０００２】
かかる重量選別機では、被計量物を計量コンベヤによって搬送しながら、前記被計量物の重量を、荷重センサを有する荷重計測部で計測し、それに基づいて、被計量物の重量を演算し、演算された重量に応じて、前記計量コンベヤの下流側で被計量物を選別するようにしている（例えば、特許文献１参照）。
【０００３】
重量選別機は、各種の設定及び計量結果等を表示する設定表示器が組み込まれた金属製の制御ボックスを備えており、該制御ボックス内には、前記荷重計測部の計測データに基づいて、被計量物の重量等を演算する演算部、及び、前記設定表示器の設定等に基づいて、計量コンベヤ等の駆動制御や設定表示器の表示制御等を行う制御部が収容されている。
【先行技術文献】
【特許文献】
【０００４】
【特許文献１】特開２０１１−１７９９６５号公報
【発明の概要】
【発明が解決しようとする課題】
【０００５】
従来の重量選別機においては、制御ボックスの前面に設定表示器と同程度の大きさの開口を形成し、ここに設定表示器を嵌め込み装着している。このために、設定表示器を設置するための大きい開口から外部の電磁波がノイズとして制御ボックス内に入り込むおそれがある。
【０００６】
制御ボックス内では、荷重計測部からの微弱な電気信号を処理しているので、侵入した電磁ノイズの影響で計測精度が低下するおそれがある。
【０００７】
このため、電磁ノイズの影響を抑制するために、設定表示器の背面に金属製の遮蔽板を取付けたり、設定表示器の壁面に導電塗装を施したりしているが、いずれもコストの増大を招来する。
【０００８】
本発明は、このような実情に着目してなされたものであって、比較的簡単な構成で、外部からの電磁ノイズの影響を受けること少なく、精度の高い重量計測を行うことができる重量選別機を提供することを目的とする。
【課題を解決するための手段】
【０００９】
上記目的を達成するために、本発明では、次のように構成している。
【００１０】
（１）本発明の重量選別機は、被計量物を搬送する計量コンベヤと、該計量コンベヤ上の被計量物の重量を検出するための荷重センサと、表示器が取付けられる制御ボックスとを備え、前記制御ボックス内に、前記表示器の表示を制御する制御部が内蔵された重量選別機であって、
金属材からなる前記制御ボックスの壁面に、前記表示器の外形に比較して開口面積の小さい透孔が形成され、前記制御ボックスの壁面に取付けられる前記表示器が、前記透孔を用いて前記制御ボックス内の前記制御部に接続される。
【００１１】
透孔が形成される制御ボックスの壁面は、特に限定されないが、前面や背面等が好ましい。
【００１２】
「透孔を用いて」とは、例えば、透孔にコネクタ等の接続具を取付け、この接続具を介して前記表示器と前記制御ボックス内の制御部とを接続したり、あるいは、透孔に接続コード等の電線を挿通し、この電線を介して前記表示器と前記制御ボックス内の制御部とを接続したりする場合などをいう。
【００１３】
本発明によると、制御ボックスの壁面には、表示器と制御ボックス内の制御部とを接続するための開口面積の小さい、例えば、表示器と制御部とを接続する電線が挿通する程度の小さい透孔が形成されるだけであるので、安価な構成で、制御ボックス内への電磁ノイズの侵入を十分抑制することができる。
【００１４】
（２）本発明の他の実施態様では、前記表示器は、当該重量選別機に対する設定を行うために操作される設定部を有する。
【００１５】
表示器は、表示部と設定部とを兼用したタッチパネルで構成するのが好ましい。
【００１６】
この実施態様によると、表示器の設定部を操作して重量選別機に対する設定を行うことができると共に、設定内容や計量結果等を表示器で表示することができる。
【００１７】
（３）本発明の好ましい実施態様では、前記透孔を覆うように前記表示器を制御ボックスの壁面に取り付けると共に、表示器と制御ボックスの壁面との間に、前記透孔を囲む環状のシール部材を介在させる。
【００１８】
この実施態様によると、重量選別機の洗浄処理が行われても透孔を通して制御ボックスに水が入ることはなく、的確に制御ボックスを防水することができる。
【００１９】
（４）本発明の他の実施態様では、前記表示器に、記憶媒体が接続される接続ポートを備えた開口を設けると共に、この接続ポートを開閉自在な蓋体で水密状に閉止する。
【００２０】
この実施態様によると、防水された接続ポートに接続される記憶媒体を用いて各種データの出し入れを容易に行ってデータを管理することができる。
【００２１】
（５）上記（４）の実施態様では、閉止状態の前記蓋体に係合して、蓋体を閉止状態に維持するロック部材を備えるようにしてもよい。
【００２２】
この実施態様によると、ロック部材で蓋体の閉止状態を維持することで、接続ポートを確実に防水することができる。
【００２３】
（６）本発明の他の実施態様では、制御ボックスの壁面に装着金具を設け、この装着金具に前記表示器を係合支持する。
【００２４】
この実施態様によると、制御ボックスに対する表示器の脱着が容易となり、表示器のメンテナンスや取替えが容易となる。
【発明の効果】
【００２５】
このように、本発明によれば、安価な構成で、制御ボックスの壁面からの電磁ノイズの侵入を抑制して、精度の高い重量計測を行うことができる。
【図面の簡単な説明】
【００２６】
【図１】図１は本発明の一実施形態の重量選別機の全体斜視図である。
【図２】図２は重量選別機の制御系のブロック図である。
【図３】図３は設定表示器取付け構造の分解斜視図である。
【図４】図４は防水シール構造の分解平面図である。
【図５】図５は接続ポート付近の縦断側面図である。
【図６】図６は設定表示器取付け構造の別実施形態を示す分解斜視図である。
【図７】図７は設定表示器取付け構造の他の実施形態を示す分解斜視図である。
【発明を実施するための形態】
【００２７】
以下、本発明の実施の形態について図面を参照しながら説明する。
【００２８】
図１に、本発明の一実施形態に係る重量選別機の全体が示されている。
【００２９】
この重量選別機は、例えば、被計量物搬送ラインの途中などに設置して使用するものであり、計量コンベヤ１、この計量コンベヤ１に被計量物を搬入する搬入コンベヤ２、ロードセル等の荷重センサを備える荷重計測部３、及び、重量選別のための境界重量値などの各種の設定を行う共に、計量結果等を表示する設定表示器６を有する制御ボックス４、などを、床置き設置した基台５に装備して構成されている。
【００３０】
この重量選別機では、搬入コンベヤ２に供給されてきた被計量物を計量コンベヤ１に移載して搬送し、この搬送の間に被計量物を含む計量コンベヤ１全体の重量を荷重計測部３で計測し、制御ボックス４内で被計量物の重量を演算し、被計量物重量が、例えば、「軽量」、「適量」、又は、「過量」のいずれかであるかを判別し、後段の振分け装置（図示せず）で振分け選別する。
【００３１】
制御ボックス４は、ステンレス鋼板で背面が開放された縦長の箱状に構成され、背面の略全体に形成された開口がネジ止めされた蓋板で閉塞されるようになっている。また、ボックス上部の壁面である前面に、上述のように各種の設定および計測結果の表示などを行うタッチパネル式の設定表示器６が装着されている。
【００３２】
図２は、重量選別機の制御系のブロック図である。
【００３３】
制御ボックス４内には、例えば、マイクロコンピュータによって構成される演算制御部２０や図示しない電源装置等が収容されている。
【００３４】
この演算制御部２０は、荷重計測部３の荷重センサからの計測データに基づいて、被計量物の重量を演算して重量ランクを判別する。また、演算制御部２０は、後述のように設定表示器６に接続され、この設定表示器６の設定に基づいて、上記各コンベヤ１，２の駆動制御や設定表示器６の表示制御などの各部の制御を行う。
【００３５】
設定表示器６は、図３に示すように、樹脂製のケーシング６ａに液晶タッチパネル６ｂと複数のランプ表示部６ｃを組付けて構成されており、制御ボックス４の内方からネジ７で連結固定されている。
【００３６】
設定表示器６の背面からはコード等の電線８が導出されて、制御ボックス４の前面に形成された小さな開口面積の透孔９を通して制御ボックス４内に挿入されている。透孔９の開口面積は、小さいのが好ましく、この実施形態では、電線８が挿通できると共に、後述の接続ポートを確保できる程度の大きさである。電線８は、電源線及び信号線を含んでおり、電源線は、制御ボックス４内の電源装置に接続され、信号線は、上記演算制御部２０に接続される。
【００３７】
設定表示器６の背面周部には、図４の分解平面図に示すように、全周に亘る凹入段部１０が形成されて、ゴムパッキンなどの環状のシール部材１１が嵌合装着され、設定表示器６をボックス前面へネジ連結することで、シール部材１１が制御ボックス４の前面と設定表示器６とで挟持され、透孔９に対する防水が図られている。
【００３８】
また、図５に示すように、設定表示器６の下部前面に開口１２が凹入形成され、この開口１２の内奥に、記憶媒体であるＵＳＢメモリを着脱するＵＳＢポートなどの接続ポート１３が備えられると共に、開口１２を開閉する蓋体としてのキャップ１４が上下揺動可能に装着されている。
【００３９】
また、開口１２の内奥部には、接続ポート１３を囲むようにゴムパッキンなどのシール部材１５が配備され、キャップ１４を閉じた状態では、キャップ１４の内面に備えた環状凸部１４ａがシール部材１５に食い込んで、接続ポート１３の防水が図られるようになっている。なお、設定表示器６の下端には、閉止姿勢のキャップ１４の下端に係止されて閉止状態を保持するロック部材１６が上下揺動可能に装着されている。
【００４０】
このように制御ボックス４の壁面には、従来のように大きな矩形の開口を形成する必要がなく、電線８が挿通し、接続ポート１３を確保できる程度の小さな開口面積の透孔９を形成すればよく、これによって、安価な構成で、制御ボックス４内に侵入する電磁ノイズを大幅に抑制することが可能となり、精度の高い重量計測が可能となる。
【００４１】
しかも、制御ボックス４には、小さな開口面積の透孔９を形成すればよいので、制御ボックス４に対する設定表示器６の装着位置の選択の自由度が高まる。
【００４２】
なお、接続ボート１３を省略して透孔９の開口面積を更に小さくしてもよい。
【００４３】
また、この実施形態の重量選別機は、防水仕様としたけれども、防水仕様でなくてもよい。
【００４４】
透孔９にコネクタを装着し、コネクタを介して設定表示器６と制御ボックス４の内部とを接続してもよい。
【００４５】
（他の実施形態）
本発明は、以下のような形態で実施することもできる。
【００４６】
（１）上記実施形態では、設定表示器６にタッチパネル式のものを使用しているが、防水型のボタンスイッチによって各種の設定入力を行う仕様の設定表示器６を用いることもできる。
【００４７】
（２）上記実施形態では、設定表示器６において各種の設定入力を行うものにしているが、表示のみを行う単一機能のものとし、設定入力用の操作部を制御ボックス４の適所に別途装備した形態で実施することもできる。
【００４８】
（３）図５に示すように、制御ボックス４の前面に上向きコの字形の装着金具１７を溶接などで固着し、この装着金具１７に上方から設定表示器６を差込み装着する形態で実施することもできる。これによると、設定表示器６の脱着が容易となり、設定表示器６のメンテナンスや取替えを簡単に行うことができる。この場合、設定表示器６の下端から導出した電線８にゴム製の防水スリーブ１８を外嵌装着し、この防水スリーブ１８を制御ボックス４に形成した丸孔からなる透孔９に圧入止着することで、電線８を防水状態で制御ボックス４に挿入することができる。
【００４９】
（４）図６に示すように、設定表示器６の左右側辺に縦溝１９をそれぞれ形成して、ここに装着金具１７の端辺を係入させるようにしてもよく、これによると、装着金具１７を小型で目立ちにくいものにすることができる。
【００５０】
（５）設定表示器６を制御ボックス４の前面に取り付ける手段は上記以外に各種の構造を選択することができ、例えば、制御ボックス４の前面複数箇所に頭付きピンを突設し、設定表示器６の背面に設けたダルマ形連結穴の大径部を前記頭付きピンの大径頭部に挿通した後、設定表示器６を引き下げてダルマ形連結穴の小径部を頭付きピンの小径軸部に係合する周知のピン連結手段を利用することもできる。また、バックル式の連結具を用いて、設定表示器６を脱着自在に連結する手段を用いることもできる。
【符号の説明】
【００５１】
１            計量コンベヤ
３            荷重計測部
４            制御ボックス
６            設定表示器
８            電線
９            透孔
１１          シール部材
１２          開口
１３          接続ポート
１４          キャップ
１６          ロック部材
１７          装着金具
【図１】
2014085201.tif 000003
【図２】
2014085201.tif 000004
【図３】
2014085201.tif 000005
【図４】
2014085201.tif 000006
【図５】
2014085201.tif 000007
【図６】
2014085201.tif 000008
【図７】
2014085201.tif 000009